(57)【要約】【課題】操作性に優れた電子機器を提供する。【解決手段】信号出力装置１０は、指輪形状にされており、ユーザの指に装着されて、アンテナ部１５からユーザの身体に電気信号を入力し、当該身体を通じて指先側に電気信号を伝播させる。一方、電子機器３０は、ディスプレイ３５の表面にタッチパネル３３を備えると共に、タッチパネル３３の表面に導電性フィルム３１を備え、信号出力装置１０からの出力信号を受信できたか否かを、導電性フィルム３１からの入力信号に基づき、受信判定部３７にて判定する。そして、制御部３９は、タッチパネル３３から入力される操作信号に基づき、ユーザがタッチパネル３３をタッチしたことを検知すると、受信判定部３７での判定結果に基づいて、信号出力装置を装着した指で、ユーザがタッチパネル３３をタッチしたか否かを判断する。そして、この判断結果に従って、実行する処理を切り替える。【選択図】図１
2010204725.tif 000002
【特許請求の範囲】
【請求項１】
ユーザの手足に装着されて、当該装着部位に電気信号を出力する信号出力装置
を装着するユーザによって操作される電子機器であって、
ユーザが操作可能な入力デバイスと、
前記入力デバイスから入力される操作信号に基づき、前記操作信号に対応した処理を実行する処理実行手段と、
前記ユーザとの接触又は静電結合により前記信号出力装置から出力される電気信号が入力される導電体を有し、前記導電体からの入力信号に基づき、前記導電体と前記装着部位に対応するユーザの身体部位との接触又は接近を検知する検知手段と、
を備え、
前記処理実行手段は、前記入力デバイスから入力される操作信号の夫々に対して複数の処理を実行可能な構成にされ、前記検知手段の検知結果に従って、前記複数の処理を切り替えて実行すること
を特徴とする電子機器。
【請求項２】
前記入力デバイスは、タッチ面に対するユーザのタッチ動作を検知し、当該タッチ動作が行われた前記タッチ面上の位置座標を、前記操作信号として前記処理実行手段に入力する入力デバイスであり、
前記処理実行手段は、前記入力デバイスから入力される各位置座標に対して複数の処理を実行可能な構成にされ、前記タッチ動作の検知により前記入力デバイスから前記位置座標が入力されると、当該位置座標に対応する前記複数の処理の中から、前記検知手段の検知結果に従って、一つの処理を選択的に実行すること
を特徴とする請求項１記載の電子機器。
【請求項３】
前記入力デバイスは、メカニカルな一つ又は複数の操作具を備え、操作された操作具を表す操作信号を、前記操作信号として前記処理実行手段に入力する入力デバイスであり、
前記処理実行手段は、前記入力デバイスが備える操作具毎に複数の処理を実行可能な構成にされ、前記操作具の操作が行われることにより前記入力デバイスから前記操作信号が入力されると、当該操作信号に基づき、操作された操作具に対応する前記複数の処理の中から、前記検知手段の検知結果に従って、一つの処理を選択的に実行すること
を特徴とする請求項１記載の電子機器。
【請求項４】
表示デバイスを備え、
前記処理実行手段は、前記検知手段の検知結果に従って、前記表示デバイスに表示する操作画面を切り替えると共に、前記入力デバイスから入力される前記操作信号から特定される前記表示デバイスに表示する操作画面に対するユーザの操作内容に対応した処理を実行することにより、前記検知手段の検知結果に従って、前記複数の処理を切り替えて実行すること
を特徴とする請求項１記載の電子機器。
【請求項５】
前記検知手段が備える前記導電体は、前記入力デバイス表面に導電性フィルムとして設けられていることを特徴とする請求項１〜請求項４のいずれかに記載の電子機器。
【請求項６】
前記検知手段が備える前記導電体は、前記タッチ面上に導電性フィルムとして設けられていることを特徴とする請求項２記載の電子機器。
【請求項７】
前記信号出力装置として、装置固有の前記電気信号を出力する複数の信号出力装置、を装着するユーザによって操作される電子機器であって、
前記検知手段は、前記導電体からの入力信号に基づき、前記信号出力装置毎に、前記導電体と当該信号出力装置に対応する前記ユーザの身体部位との接触又は接近を検知し、
前記処理実行手段は、前記検知手段による前記信号出力装置毎の検知結果に従って、前記複数の処理を切り替えて実行すること
を特徴とする請求項１〜請求項６のいずれかに記載の電子機器。
【請求項８】
前記処理実行手段は、前記検知手段によって前記接触又は接近が検知された前記信号出力装置の検知順序に従って、前記入力デバイスから入力される操作信号に対応する前記複数の処理の中から、一つの処理を選択的に実行すること
を特徴とする請求項７記載の電子機器。
【請求項９】
前記処理実行手段は、前記入力デバイスから前記操作信号が入力された時点で、前記検知手段によって前記接触又は接近が同時検知されている前記信号出力装置の組合せに基づき、前記操作信号に対応する前記複数の処理の内、当該組合せに対応する処理を選択的に実行すること
を特徴とする請求項７記載の電子機器。
【請求項１０】
前記入力デバイスから前記操作信号が入力された際に当該操作信号に対応する処理として実行すべき処理と、前記検知手段による検知結果と、の対応関係を、前記ユーザからの指示に従って変更可能な対応関係変更手段
を備えることを特徴とする請求項１〜請求項９のいずれかに記載の電子機器。
【請求項１１】
ユーザの手足に装着されて、当該装着部位に電気信号を出力する信号出力装置と、
前記信号出力装置を装着するユーザによって操作される電子機器と、
を備え、
前記電子機器は、
ユーザが操作可能な入力デバイスと、
前記入力デバイスから入力される操作信号に基づき、前記操作信号に対応した処理を実行する処理実行手段と、
前記ユーザとの接触又は静電結合により前記信号出力装置から出力される電気信号が入力される導電体を有し、前記導電体からの入力信号に基づき、前記導電体と前記装着部位に対応するユーザの身体部位との接触又は接近を検知する検知手段と、
を備え、
前記処理実行手段は、前記入力デバイスから入力される操作信号の夫々に対して複数の処理を実行可能な構成にされ、前記検知手段の検知結果に従って、前記複数の処理を切り替えて実行すること
を特徴とする情報処理システム。
【請求項１２】
ユーザの手足に装着されて、当該装着部位に、装置固有の電気信号を出力する複数の信号出力装置と、
前記複数の信号出力装置を装着するユーザによって操作される電子機器と、
を備え、
前記電子機器は、
ユーザが操作可能な入力デバイスと、
前記入力デバイスから入力される操作信号に基づき、前記操作信号に対応した処理を実行する処理実行手段と、
前記ユーザとの接触又は静電結合により前記信号出力装置から出力される電気信号が入力される導電体を有し、前記導電体からの入力信号に基づき、前記信号出力装置毎に、前記導電体と当該信号出力装置の前記装着部位に対応するユーザの身体部位との接触又は接近を検知する検知手段と、
を備え、
前記処理実行手段は、前記入力デバイスから入力される操作信号の夫々に対して複数の処理を実行可能な構成にされ、前記検知手段の検知結果に従って、前記複数の処理を切り替えて実行すること
を特徴とする情報処理システム。
【発明の詳細な説明】
【技術分野】
【０００１】
本発明は、ユーザに操作されて各種処理を実行する電子機器及び情報処理システムに関する。
【背景技術】
【０００２】
従来、ユーザに操作されて各種処理を実行する電子機器としては、複数の操作キーを備える入力デバイスから入力される操作信号に基づき、ユーザの操作に対応した処理を実行する電子機器や、グラフィカルユーザインタフェースとして機能する操作画面を表示デバイスに表示して、ポインティングデバイスから入力される操作信号に基づき、操作画面に対するユーザ操作に対応した処理を実行する電子機器が知られている。
【０００３】
また、入力デバイスとしては、タッチ動作を検知して、当該タッチ動作が行われたタッチ面上の位置座標を、操作信号として入力するタッチパネルが知られている。一般的に、タッチパネルは、透明なシートで構成されて、表示デバイスの画面上に設けられ、ユーザによる表示画面へのタッチ動作を検知して、タッチされた位置座標を操作信号として入力する。
【０００４】
この他、タッチパネルを用いた入力システムとしては、ユーザとの接触面に電気信号を印加し、ユーザが接触面にタッチすると上記電気信号がユーザの身体を流れることを利用して、タッチパネルをタッチしたユーザを識別する入力システムが知られている（特許文献１参照）。
【０００５】
また、タッチパネル付の表示デバイスを備えた電子機器としては、絵描き用の電子機器であって、色指定ボタンを備え、色指定ボタンがタッチされると、タッチされたボタンに対応する色を、ユーザに割り当てて、タッチパネルにおける描画領域で、ユーザの指によって描かれる絵を、ユーザに割り当てた色で、表示デバイスに表示する電子機器が知られている（特許文献２参照）。
【先行技術文献】
【特許文献】
【０００６】
【特許文献１】特開２０００−１４８３９６号公報
【特許文献２】特開２００２−０４１２０６号公報
【発明の概要】
【発明が解決しようとする課題】
【０００７】
ところで、近年においては、電子機器に搭載される機能数が増加傾向にあるが、多機能化に伴っては、電子機器の操作性が悪化するといった問題がある。
例えば、入力デバイスとして、メカニカルな操作キーを備える入力デバイスを採用する場合には、電子機器の多機能化に伴って、入力デバイスに操作キーを多数設ける必要が生じ、操作キーの増加が原因で、ユーザにとって目的の操作キーが探し辛くなり、操作性が悪化するといった問題がある。この他、限られたスペースに多数の操作キーを配置することで、操作キーのサイズが小さくなり、ユーザにとってキーの押下操作がし辛くなるといった問題もある。
【０００８】
また、グラフィカルユーザインタフェースと、マウスやタッチパネル等のポインティングデバイスとの組合せによりユーザ操作を実現する場合には、表示デバイスの表示領域に限りがあることから、グラフィカルユーザインタフェースとしての操作画面を階層表示するように電子機器を構成する場合がある。
【０００９】
しかしながら、このように操作画面を階層表示すれば、ユーザが、目的の入力オブジェクトを操作するために、階層表示される操作画面を複数回操作しなければならないため、操作性が悪化するといった問題がある。また、操作画面を階層表示する手法を採用すると、下層の操作画面を呼び出すための入力オブジェクトを上層の操作画面に表示しなければならないため、一画面当りに表示可能な実質的な入力オブジェクトの数が減ってしまうといった問題がある。
【００１０】
この他、絵描き用の上記電子機器においては、ユーザに対して一つの色しか割り当てることができないため、頻繁に色を代えてカラフルな絵を描こうとすると、ユーザは、頻繁に、色指定ボタンを操作して、色の割当を変更しなければならず、操作性が悪いといった問題がある。
【００１１】
本発明は、こうした問題に鑑みなされたものであり、操作性に優れた電子機器及び情報処理システムを提供することを目的とする。
【課題を解決するための手段】
【００１２】
かかる目的を達成するためになされた本発明は、ユーザの手足に装着されて、当該装着部位に電気信号を出力する信号出力装置と、この信号出力装置を装着するユーザによって操作される電子機器と、を備える情報処理システム及び当該情報処理システムを構成する電子機器であって、電子機器が次のように構成されたものである。
【００１３】
本発明の電子機器は、ユーザが操作可能な入力デバイスと、入力デバイスから入力される操作信号に基づき、操作信号に対応した処理を実行する処理実行手段と、検知手段と、を備える。そして、検知手段は、ユーザとの接触又は静電結合により信号出力装置から出力される電気信号が入力される導電体を有し、導電体からの入力信号に基づき、導電体と信号出力装置の装着部位に対応するユーザの身体部位との接触又は接近を検知する。
【００１４】
また、処理実行手段は、入力デバイスから入力される操作信号の夫々に対して複数の処理を実行可能な構成にされ、検知手段の検知結果に従って、複数の処理を切り替えて実行する（請求項１，請求項１１）。
【００１５】
入力デバイスとしては、例えば、タッチ面に対するタッチ動作を検知し、当該タッチ動作が行われたタッチ面上の位置座標を、操作信号として処理実行手段に入力する入力デバイスや、メカニカルな複数の操作具（操作キー等）を備え、操作された操作具を表す操作信号を入力する入力デバイス等が挙げられる。但し、本発明は、入力デバイスの種類に限定されない。
【００１６】
このように構成された電子機器によれば、一つの操作信号に対して複数の処理が対応付けられ、処理実行手段が、これらの複数の処理を、検知手段の検知結果に従って切り替えて実行するので、ユーザは、導電体に接触若しくは接近すると信号出力装置の出力信号が身体を通じて上記導電体に流れる身体部位を、導電体に接触若しくは接近又は離間若しくは遠方に配置させつつ、入力デバイスを操作する程度で、入力デバイスに同じ操作をしても、複数の処理を、電子機器に実行させることができる。
【００１７】
結果、この電子機器によれば、入力デバイスに多数のキーを設けなくても済む。また、タッチパネル等のポインティングデバイスとグラフィカルユーザインタフェースとの組合せによりユーザ操作を実現する場合には、操作画面の階層化を避けて、電子機器に簡易な操作系を構築することができる。
【００１８】
よって、本発明によれば、電子機器を多機能化することにより操作性が悪化するのを抑えることができ、利便性の高い電子機器及び情報処理システムを提供することができる。
ところで、タッチ面に対するユーザのタッチ動作を検知し、当該タッチ動作が行われたタッチ面上の位置座標を、操作信号として処理実行手段に入力する入力デバイスを採用する場合、処理実行手段は、入力デバイスから入力される各位置座標に対して複数の処理を実行可能で、タッチ動作の検知により入力デバイスから位置座標が入力されると、当該位置座標に対応する複数の処理の中から、検知手段の検知結果に従って、一つの処理を選択的に実行する構成にすることができる（請求項２）。
【００１９】
また、メカニカルな一つ又は複数の操作具（操作キー等）を有し、操作された操作具を表す操作信号を、処理実行手段に入力する入力デバイスを採用する場合、処理実行手段は、入力デバイスが備える操作具毎に複数の処理を実行可能で、操作具の操作が行われることにより入力デバイスから操作信号が入力されると、当該操作信号に基づき、操作された操作具に対応する複数の処理の中から、検知手段の検知結果に従って、一つの処理を選択的に実行する構成にすることができる（請求項３）。
【００２０】
この他、入力デバイスとして、タッチパネル等のポインティングデバイスを採用し、当該ポインティングデバイスとグラフィカルユーザインタフェースとの組合せにより、ユーザ操作を受け付けるように電子機器を構成する場合、処理実行手段は、次のように構成することができる。
【００２１】
即ち、処理実行手段は、検知手段の検知結果に従って、表示デバイスに表示する操作画面を切り替えると共に、入力デバイスから入力される操作信号から特定される表示デバイスに表示する操作画面に対するユーザの操作内容に対応した処理を実行することにより、検知手段の検知結果に従って、複数の処理を切り替えて実行する構成にすることができる（請求項４）。
【００２２】
このように電子機器を構成すれば、ユーザは、導電体に接触又は接近させると信号出力装置の出力信号が身体を通じて上記導電体に流れる身体部位を、導電体に接触若しくは接近又は離間若しくは遠方に配置させる動作を行う程度で、操作画面を切り替えることができる。
【００２３】
即ち、この発明によれば、各操作画面に対して、画面切替用の入力オブジェクトを設ける必要がなく、入力デバイスを通じてユーザに煩雑な操作画面の切替操作を行わせる必要もない。従って、複数の操作画面を通じて、ユーザの操作を受け付ける場合でも、従来装置に対して操作性を向上させることができる。
【００２４】
尚、検知手段が備える導電体は、入力デバイス表面に、導電性フィルムとして設けることができる（請求項５）。例えば、タッチ面に対するユーザのタッチ動作を検知し、当該タッチ動作が行われたタッチ面上の位置座標を、操作信号として処理実行手段に入力する入力デバイスを採用する場合、導電体は、タッチ面上に、導電性フィルムとして設けることができる（請求項６）。
【００２５】
この電子機器によれば、ユーザは、信号出力装置を指や腕に付けて電子機器を使用し、この際に、入力デバイスを操作する指や腕を変える程度で、電子機器に実行させる処理を切り替えることができる。従って、簡単な操作で、電子機器が備える複数の機能を使用することができる。
【００２６】
また、携帯型の電子機器に上記発明を採用する場合、導電体は、電子機器がユーザにより把持される際にユーザの掌に接触する位置に設けられてもよい。
このように電子機器を構成すれば、ユーザは、信号出力装置を腕に付けて電子機器を使用し、この際に、電子機器の持つ手を変えて、入力デバイスを操作する程度で、電子機器に実行させる処理を切り替えることができ、簡単な操作で、電子機器が備える複数の機能を使用することができる。
【００２７】
また、上記発明には、ユーザに複数の信号出力装置を装着させて、この状態でユーザに電子機器を操作させる手法を採用してもよい。即ち、情報処理システムには、装置固有の電気信号を出力する複数の信号出力装置を設け、電子機器においては、複数の信号出力装置を装着するユーザによって電子機器が操作されることを前提に、検知手段及び処理実行手段を次のように構成するとよい。
【００２８】
即ち、検知手段は、導電体からの入力信号に基づき、信号出力装置毎に、導電体と当該信号出力装置に対応するユーザの身体部位との接触又は接近を検知し、処理実行手段は、検知手段による信号出力装置毎の検知結果に従って、複数の処理を切り替えて実行する構成にされるとよい（請求項７，請求項１２）。
【００２９】
このように電子機器を構成すれば、一つの操作信号に対し、多数の処理を割り当てて、処理実行手段に、これらの処理を切り替えて実行させることができる。従って、入力デバイスに用意する操作具（操作キー等）の数や、操作画面に表示する入力オブジェクトの数を一層減らすことができる。
【００３０】
尚、処理実行手段は、検知手段によって接触又は接近が検知された信号出力装置の検知順序に従って、入力デバイスから入力される操作信号に対応する複数の処理の中から、一つの処理を選択的に実行する構成にすることができる（請求項８）。
【００３１】
電子機器をこのように構成すれば、ユーザは、異なる順序で、信号出力装置の夫々に対応する身体部位を、導電体に接触又は接近させる程度で、入力デバイスに対し同じ操作を行った場合でも、異なる処理を、電子機器に実行させることができる。従って、設計者は、本発明の手法を用いることで、入力デバイスに設ける操作具（操作キー等）を減らしつつ、多機能な電子機器を構成することができ、電子機器の操作性を向上させつつ、電子機器の多機能化を図ることができる。
【００３２】
また、処理実行手段は、入力デバイスから操作信号が入力された時点で、検知手段によって接触又は接近が同時検知されている信号出力装置の組合せに基づき、操作信号に対応する複数の処理の内、当該組合せに対応する処理を選択的に実行する構成にされてもよい（請求項９）。
【００３３】
この電子機器によれば、ユーザは、複数の信号出力装置の一つに対応する身体部位を選択的に導電体に接触又は接近させるのか、複数の信号出力装置に対応する身体部位を同時に、導電体に接触又は接近させるのかを切り替える程度で、入力デバイスに対する同一操作に対して、異なる処理を、電子機器に実行させることができる。従って、設計者は、操作性良く、電子機器の多機能化を図ることができる。
【００３４】
また、上記電子機器には、入力デバイスから操作信号が入力された際に当該操作信号に対応する処理として実行すべき処理と、検知手段による検知結果と、の対応関係を、ユーザからの指示に従って変更する対応関係変更手段を設けると便利である（請求項１０）。
【００３５】
この電子機器によれば、ユーザの指示に従って上記対応関係を変更することができるので、ユーザは、当該対応関係を調整することにより、自己にとって最適な操作系を構築することができる。
【図面の簡単な説明】
【００３６】
【図１】情報処理システム１の構成を表すブロック図である。
【図２】信号出力装置１０から出力される信号の伝播態様を表す図である。
【図３】制御部３９が実行する文字入力受付処理を表すフローチャートである。
【図４】文字入力画面の一例を表す図である。
【図５】第二実施例の文字入力受付処理を表すフローチャートである。
【図６】第二実施例の文字入力画面の一例を表す図である。
【図７】第三実施例の文字入力受付処理を表すフローチャートである。
【図８】第四実施例の表示画面の構成を表す図である。
【図９】第四実施例の制御部３９が実行する描画操作受付処理を表すフローチャートである。
【図１０】第五実施例において信号出力装置１０から出力される信号の送受信態様を表す図である。
【図１１】第五実施例の描画操作受付処理を表すフローチャートである。
【図１２】第六実施例の表示画面を表す図（ａ）及び制御部３９が実行する入力受付処理を表すフローチャート（ｂ）である。
【図１３】第七実施例の入力受付処理を表すフローチャートである。
【図１４】第八実施例の情報処理システム３の構成を表す図（ａ）及び制御部７９が実行する変換処理を表すフローチャート（ｂ）である。
【図１５】情報処理システム５の構成を表すブロック図である。
【図１６】情報処理システム５における信号伝達経路を表す説明図である。
【発明を実施するための形態】
【００３７】
以下に本発明の実施例について、図面と共に説明する。
［第一実施例］
図１は、本発明が適用された情報処理システム１の構成を表すブロック図である。本実施例の情報処理システム１は、ユーザの身体に装着されて、当該装着部位に電気信号を出力する信号出力装置１０と、この信号出力装置１０を装着するユーザによって操作される電子機器３０と、を備える。
【００３８】
信号出力装置１０は、電界方式により、当該信号出力装置１０が装着されたユーザの身体部位に電気信号（微弱電波）を出力するものであり、送信部１１と、アンテナ部１５と、を備える。
【００３９】
また、アンテナ部１５は、送信部１１によって給電され、ユーザの身体に対して電気信号（電波）を出力する輻射器１３と、輻射器１３からユーザの身体に出力された電気信号を反射する反射器１４と、を備える。そして、送信部１１は、特定周波数の送信信号を輻射器１３に入力する構成にされている。
【００４０】
即ち、輻射器１３は、送信部１１から入力される上記送信信号に従って、ユーザの身体に対し、特定周波数の電気信号（電波）を出力する。この輻射器１３から出力される電気信号は、反射器１４によって反射されて、ユーザの身体を特定方向に伝播する。
【００４１】
この信号出力装置１０の構成について詳述すると、本実施例の信号出力装置１０は、ユーザの指に装着されることを前提として、指輪形状にされ、環状体の輻射器１３及び反射器１４が、装着される指の軸線に沿って所定間隔空けられた状態で、並列配置された構成にされている（図１右図参照）。これにより、信号出力装置１０は、輻射器１３から出力される電気信号が、反射器１４に反射されて、反射器１４から輻射器１３側に延びる方向に、ユーザの身体を伝播するように構成されている。
【００４２】
この信号出力装置１０は、反射器１４が輻射器１３よりも指の根元側に配置されるようにして、ユーザの指に装着されることを前提としており、信号出力装置１０がこのような正しい向きでユーザの指に装着されると、図２（ａ）に示すように、信号出力装置１０から出力される電気信号は、装着部位よりも指先側の身体部位を伝播する。図２（ａ）は、信号出力装置１０から出力される電気信号の伝播態様を表した説明図である。
【００４３】
即ち、この信号出力装置１０は、指向性を有し、アンテナ部１５から出力される電気信号が、当該信号出力装置１０が装着された指以外の部位から身体外部に出力されないように構成されている。本実施例の電子機器３０は、このように構成された信号出力装置１０からユーザの身体に入力された電気信号を受信することにより、ユーザが、信号出力装置１０の装着された指で、タッチパネルを操作したか否かを判断し、この判断結果に従って実行する処理を切り替える。
【００４４】
続いて、電子機器３０の説明に移る。図１に示すように、本実施例の電子機器３０は、導電性の薄膜材である導電性フィルム３１と、導電性フィルム３１が貼り付けられたタッチパネル３３と、タッチパネル３３が貼り付けられたディスプレイ３５と、導電性フィルム３１と電気的に接続され、導電性フィルム３１を伝播する電気信号が入力される受信判定部３７と、ディスプレイ３５を制御する制御部３９と、を備える。
【００４５】
タッチパネル３３は、導電性フィルム３１によって被覆されるタッチ面を有し、タッチ面に対するユーザのタッチ動作を検知して、当該タッチ動作が行われたタッチ面上の位置座標を、操作信号として制御部３９に入力する構成にされている。また、ディスプレイ３５は、液晶ディスプレイ等に代表される周知の表示デバイスであり、制御部３９に制御されて、タッチパネル３３によって被覆される表示面に各種情報を表示する。
【００４６】
一方、受信判定部３７は、導電性フィルム３１からの入力信号に基づき、信号出力装置１０から出力された電気信号の受信有無を判定することで、信号出力装置１０を装着した指の接触又は接近を検知する。具体的に、受信判定部３７は、上記特定周波数の電気信号を、一定の信号強度以上で、導電性フィルム３１を介して受信すると、信号出力装置１０から出力された電気信号を受信したと判定し、受信有の旨の状態通知信号を、制御部３９に入力する。一方、受信判定部３７は、上記特定周波数の電気信号を、一定の信号強度以上で受信できない場合、受信無の旨の状態通知信号を、制御部３９に入力する。このようにして、受信判定部３７は、信号出力装置１０から出力された電気信号の導電性フィルム３１を通じた受信の有無を判定し、この結果を、制御部３９に通知する。
【００４７】
尚、図２（ｂ）は、ユーザが信号出力装置１０の装着されていない指でタッチパネルを操作するときのアンテナ部１５から出力される電気信号の伝播態様を表した説明図であり、図２（ｃ）は、ユーザが信号出力装置１０の装着された指でタッチパネルを操作するときのアンテナ部１５から出力される電気信号の伝播態様を表した説明図である。
【００４８】
図２（ｂ）に示すように、ユーザが信号出力装置１０の装着されていない指でタッチパネルを操作する場合には、信号出力装置１０の装着されていない指が導電性フィルム３１に対して離れた位置にあるので、静電結合を無視すれば、導電性フィルム３１に、信号出力装置１０から出力される電気信号が伝播することはなく、受信判定部３７では、受信無の旨の状態通知信号が制御部３９に入力される。
【００４９】
一方、図２（ｃ）に示すように、ユーザが信号出力装置１０の装着された指でタッチパネルを操作（タッチ）する場合には、信号出力装置１０の装着された指がタッチパネルに近づき接触することになるので、導電性フィルム３１に、信号出力装置１０から出力される電気信号が伝播することになり、受信判定部３７では、受信有の旨の状態通知信号が制御部３９に入力される。
【００５０】
本実施例の電子機器３０が備える制御部３９は、この受信判定部３７からの状態通知信号に基づき、ユーザが信号出力装置１０の装着された指でタッチパネルを操作しているか否かを判断し、この判断結果に従って処理を切り替える。
【００５１】
続いて、制御部３９が実行する処理について、図３を用いて説明する。図３は、制御部３９が実行する文字入力受付処理を表すフローチャートである。この文字入力受付処理は、ユーザを通じて文字情報を受け取る際に、制御部３９が実行するものである。
【００５２】
例えば、電子機器３０がカーナビゲーション装置である場合、上記文字入力受付処理は、経路探索時の目的地として、店舗名や住所などの情報を、ユーザから受け取る際に、制御部３９により実行される。この他、電子機器３０が、ハードディスク搭載型の音楽プレーヤである場合、上記文字入力受付処理は、ハードディスク装置に登録する楽曲の曲名情報をユーザから受け付ける際に、制御部３９により実行される。
【００５３】
制御部３９は、当該文字入力受付処理を開始すると、まず、ディスプレイ３５に、グラフィカルユーザインタフェースとして機能する文字入力画面を表示する（Ｓ１１０）。図４は、文字入力画面を表す図である。
【００５４】
図４に示すように、本実施例では、各入力オブジェクト（操作ボタン）に対して、二つの文字を割り当ててなる文字入力画面をディスプレイ３５に表示する。以下では、各入力オブジェクトに対して割り当てられた二つの文字を、第一の文字及び第二の文字と表現する。図４に示す例では、各入力オブジェクトに対し、第一の文字として、平仮名が割り当てられ、第二の文字として、アルファベットが割り当てられている。
【００５５】
制御部３９は、このような構成の文字入力画面を表示後、Ｓ１２０以降の処理を実行することにより、タッチパネル３３を通じて入力オブジェクトがタッチされた際に、当該入力オブジェクトに割り当てられた第一及び第二の文字の内、いずれの文字を、入力文字として受け付ける。
【００５６】
具体的に、Ｓ１２０に移行すると、制御部３９は、タッチパネル３３に対するタッチ動作が導電性フィルム３１を介して行われることにより、タッチパネル３３から、タッチ動作が行われたタッチ面上の位置座標を表す操作信号が、入力されるまで待機する。
【００５７】
そして、タッチパネル３３から上記操作信号が入力されると（Ｓ１２０でＹｅｓ）、ディスプレイ３５に表示されている入力オブジェクトの配置に従って、ユーザによりタッチされた入力オブジェクトを特定する（Ｓ１３０）。
【００５８】
ここで、タッチされた文字入力画面の領域に入力オブジェクトが存在せず、入力オブジェクトの特定に失敗した場合には（Ｓ１４０でＮｏ）、Ｓ１２０に移行する。
一方、タッチされた入力オブジェクトの特定に成功した場合には（Ｓ１４０でＹｅｓ）、Ｓ１５０に移行し、タッチされた入力オブジェクトが、文字入力用の入力オブジェクトであるか否かを判断する。
【００５９】
尚、文字入力画面には、第一及び第二の文字が割り当てられた文字入力用の入力オブジェクトの他に、スペース入力用の入力オブジェクト、漢字変換、小文字／大文字変換用の入力オブジェクト等が設けられている。しかしながら、本実施例では、文字入力用の入力オブジェクト以外の入力オブジェクトに対し、複数の機能を割り当てていない。従って、ここでは、タッチされた入力オブジェクトが文字入力用の入力オブジェクトであるか否かを判断することにより、タッチされた入力オブジェクトが、複数の機能（文字）が割り当てられた入力オブジェクトであるか否かを、判断する。
【００６０】
そして、タッチされた入力オブジェクトが、文字入力用の入力オブジェクトであると判断すると（Ｓ１５０でＹｅｓ）、制御部３９は、当該入力オブジェクトによるタッチ動作が、信号出力装置１０が装着された指（以下、信号出力装置装着指と表現する。）によって行われたタッチ動作であるか否かを判断する（Ｓ１６０）。
【００６１】
具体的には、タッチパネル３３から操作信号が入力されたときに受信判定部３７から入力された状態通知信号が、受信有の旨の状態通知信号であると、入力オブジェクトによるタッチ動作が、信号出力装置装着指によって行われたタッチ動作であると判断し（Ｓ１６０でＹｅｓ）、受信無の旨の状態通知信号であると、信号出力装置装着指によって行われたタッチ動作ではないと判断する（Ｓ１６０でＮｏ）。
【００６２】
そして、信号出力装置装着指によって行われたタッチ動作ではないと判断すると、制御部３９は、Ｓ１７０に移行し、タッチされた入力オブジェクトに割り当てられた第一及び第二の文字の内、第一の文字（平仮名）を、ユーザからの入力文字として受け付けて、この入力文字を、文字入力画面における入力文字表示欄に表示する。その後、Ｓ１２０に移行する。
【００６３】
一方、信号出力装置装着指によって行われたタッチ動作であると判断すると（Ｓ１６０でＹｅｓ）、制御部３９は、Ｓ１７５に移行し、タッチされた入力オブジェクトに割り当てられた第一及び第二の文字の内、第二の文字（アルファベット）を、ユーザからの入力文字として受け付けて、この入力文字を、文字入力画面における入力文字表示欄に表示する。その後、Ｓ１２０に移行する。
【００６４】
この他、Ｓ１５０において上記タッチされた入力オブジェクトが、文字入力用の入力オブジェクトではないと判断すると、制御部３９は、Ｓ１８０に移行し、タッチされた入力オブジェクトが、入力完了の旨のユーザ意思を表す「入力完了」オブジェクトであるか否かを判断する。そして、「入力完了」オブジェクトであると判断すると（Ｓ１８０でＹｅｓ）、それまでに入力された文字群からなる語句（入力文字表示欄に表示された語句）を、ユーザからの入力語句として確定し（Ｓ１９０）、当該文字入力受付処理を終了する。
【００６５】
一方、タッチされた入力オブジェクトが「入力完了」オブジェクトではないと判断すると（Ｓ１８０でＮｏ）、制御部３９は、タッチされた入力オブジェクトに対応する処理を実行する（Ｓ１８５）。例えば、スペース入力用の入力オブジェクトがタッチされた場合には、文字入力表示欄に表示された入力文字の最後尾にスペースを挿入する処理を実行し、漢字変換用の入力オブジェクトがタッチされた場合には、文字入力表示欄に表示された未変換の入力文字を漢字変換する処理を実行する。その後、Ｓ１２０に移行する。
【００６６】
以上、本実施例の情報処理システム１について説明したが、本実施例の情報処理システム１では、文字入力画面において、文字入力用の各入力オブジェクトに対し、複数の文字を割り当てて、受信判定部３７から入力される状態通知信号に従って、タッチされた入力オブジェクトが同じであっても、タッチされた指が信号出力装置装着指であるか否かによって、入力文字として受け付ける文字を切り替えるようにした。
【００６７】
従って、この電子機器３０によれば、アルファベット入力用の画面、平仮名入力用の画面を切り替えてディスプレイに表示しなくても済み、ユーザは、画面を切り替える操作をしなくても、タッチパネル３３にタッチする指を変える程度で、簡単に、文字の種類を切り替えて、語句を入力することができる。
【００６８】
更に言えば、この電子機器３０によれば、文字入力画面に、画面切替用の入力オブジェクトを設けなくて済むので、文字入力画面に表示する入力オブジェクト数を減らすことができて、操作しやすい文字入力画面を表示することができる。
【００６９】
よって、この情報処理システム１によれば、電子機器３０に対する操作性が向上する。
尚、以上に説明した第一実施例の情報処理システム１と、「特許請求の範囲」との対応関係は、次の通りである。即ち、請求項２に記載の入力デバイスは、本実施例のタッチパネル３３に対応し、処理実行手段は、制御部３９に対応し、検知手段は、受信判定部３７及び導電体としての導電性フィルム３１に対応する。
【００７０】
ところで、上記実施例では、一つの入力オブジェクトに対して複数の文字を割り当てるようにしたが、このような手法を採用すると、画面を切り替える必要がなくなる一方で、入力オブジェクトに複数の文字を表示する必要が生じ、表示文字が小さすぎることによって、高齢のユーザ等、特定ユーザにとっては、操作性が十分に改善されない可能性がある。
【００７１】
従って、情報処理システム１は、タッチパネル３３にタッチされた指が信号出力装置装着指であるか否かによって、アルファベット入力用の画面、平仮名入力用の画面を切り替えてディスプレイ３５に表示する構成にされてもよい（第二実施例）。
【００７２】
［第二実施例］
続いて、第二実施例の情報処理システム１について、図５及び図６を用いて説明する。但し、第二実施例の情報処理システム１は、制御部３９が実行する文字入力受付処理の内容が、第一実施例と異なる程度であるので、以下では、制御部３９が実行する処理の内容を選択的に説明する。
【００７３】
図５は、第二実施例の制御部３９が実行する文字入力受付処理を表すフローチャートである。この文字入力受付処理を開始すると、制御部３９は、まず、平仮名入力用の文字入力画面である第一入力画面をディスプレイ３５に表示する（Ｓ２１０）。図６（ａ）は、第一入力画面を表す図である。本実施例では、第一実施例とは異なり、各入力オブジェクトに対して、単一の文字が割り当てられた文字入力画面を表示する。
【００７４】
この処理を終えると、制御部３９は、タッチパネル３３に対するタッチ動作が導電性フィルム３１を介して行われることにより、タッチパネル３３から、タッチ動作が行われたタッチ面上の位置座標を表す操作信号が、入力されるまで待機する（Ｓ２２０）。
【００７５】
そして、タッチパネル３３から上記操作信号が入力されると（Ｓ２２０でＹｅｓ）、当該操作信号が入力されたときに受信判定部３７から入力された状態通知信号に基づき、タッチパネル３３に対するタッチ動作が、信号出力装置装着指によって行われたタッチ動作であるか否かを判断する（Ｓ２３０）。Ｓ２３０での判断手法は、第一実施例におけるＳ１６０での判断手法と同様である。
【００７６】
ここで、タッチパネル３３に対するタッチ動作が信号出力装置装着指によって行われたタッチ動作であると判断すると（Ｓ２３０でＹｅｓ）、制御部３９は、現在ディスプレイ３５に表示中の文字入力画面が、アルファベット入力用の文字入力画面である第二入力画面であるか否かを判断する（Ｓ２４０）。図６（ｂ）は、第二入力画面を表す図である。
【００７７】
そして、表示中の文字入力画面が、第二入力画面であると判断すると、Ｓ２６０に移行し、第二入力画面ではなく第一入力画面であると判断すると（Ｓ２４０でＮｏ）、Ｓ２４５に移行して、第一入力画面に代えて第二入力画面をディスプレイ３５に表示した後、Ｓ２２０に移行する。
【００７８】
一方、制御部３９は、タッチパネル３３に対するタッチ動作が、信号出力装置装着指によるタッチ動作ではないと判断すると（Ｓ２３０でＮｏ）、現在ディスプレイ３５に表示中の文字入力画面が、第一入力画面であるか否かを判断する（Ｓ２５０）。そして、表示中の文字入力画面が、第一入力画面であると判断すると、Ｓ２６０に移行し、第一入力画面ではなく第二入力画面であると判断すると（Ｓ２５０でＮｏ）、Ｓ２５５に移行して、第二入力画面に代えて第一入力画面をディスプレイ３５に表示する。その後、Ｓ２２０に移行する。
【００７９】
この他、Ｓ２６０に移行すると、制御部３９は、現在ディスプレイ３５に表示されている文字入力画面における入力オブジェクトの配置に従って、ユーザによりタッチされた入力オブジェクトを特定する。即ち、ディスプレイ３５に表示されている文字入力画面が第一入力画面である場合には、第一入力画面における入力オブジェクトの配置に従って、ユーザによりタッチされた入力オブジェクトを特定し、ディスプレイ３５に表示されている文字入力画面が第二入力画面である場合には、第二入力画面における入力オブジェクトの配置に従って、ユーザによりタッチされた入力オブジェクトを特定する。
【００８０】
ここで、タッチされた文字入力画面の領域に入力オブジェクトが存在せず、入力オブジェクトの特定に失敗した場合には（Ｓ２７０でＮｏ）、Ｓ２２０に移行する。
一方、タッチされた入力オブジェクトの特定に成功した場合には（Ｓ２７０でＹｅｓ）、Ｓ２８０に移行し、タッチされた入力オブジェクトが、入力完了の旨のユーザ意思を表す「入力完了」オブジェクトであるか否かを判断する。
【００８１】
そして、「入力完了」オブジェクトであると判断すると（Ｓ２８０でＹｅｓ）、それまでに入力された文字群からなる語句（入力文字表示欄に表示された語句）を、ユーザからの入力語句として確定して（Ｓ２９０）、当該文字入力受付処理を終了する。
【００８２】
これに対し、タッチされた入力オブジェクトが「入力完了」オブジェクトではないと判断すると（Ｓ２８０でＮｏ）、制御部３９は、タッチされた入力オブジェクトに対応する処理を実行する（Ｓ２８５）。
【００８３】
具体的には、タッチされた入力オブジェクトが文字入力用の入力オブジェクトである場合、当該入力オブジェクトに割り当てられた文字を、ユーザからの入力文字として受け付けて、この入力文字を、文字入力画面における入力文字表示欄に表示する。
【００８４】
詳述すると、第一入力画面に表示される文字「あ」の入力オブジェクトと、第二入力画面に表示される文字「Ａ」の入力オブジェクトは、タッチパネル３３における同じ位置に配置されるため、ユーザが文字「あ」の入力オブジェクトをタッチした場合、及び、文字「Ａ」の入力オブジェクトをタッチした場合のいずれにおいても、タッチパネル３３からは、これらの入力オブジェクトが配置されるタッチパネル３３上の位置座標を表す操作信号が入力されることになる。
【００８５】
しかしながら、制御部３９は、Ｓ２６０での処理を介すことにより、第一入力画面がディスプレイ３５に表示されている場合に当該操作信号が入力された場合には、文字「あ」をユーザからの入力文字として受け付け、第二入力画面がディスプレイ３５に表示されている場合には、文字「Ａ」をユーザからの入力文字として受け付ける。
【００８６】
このようにしてＳ２８５での処理を終えると、制御部３９は、Ｓ２２０に移行して、次のタッチ動作がなされるまで待機する。
以上、第二実施例の情報処理システム１について説明したが、本実施例の電子機器３０は、信号出力装置装着指以外の身体部位で、タッチパネル３３がタッチされると、第一入力画面を表示し、信号出力装置装着指で、タッチパネル３３がタッチされると、第二入力画面を表示し、タッチパネル３３から入力される操作信号に基づき、表示中の文字入力画面に対する文字入力操作を受け付ける。従って、ユーザは、タッチパネル３３にタッチする指を切り替える程度で、文字の種類を切り替えて、文字入力操作を行うことができる。
【００８７】
よって、本実施例によれば、文字入力画面に、画面切替用の入力オブジェクトを表示する必要もないし、このような入力オブジェクトに対する操作をしなくても、ユーザは、画面を切り替えることができる。従って、電子機器３０に対する操作性が向上する。
【００８８】
尚、第二実施例の情報処理システム１と、「特許請求の範囲」との対応関係は、次の通りである。即ち、請求項４記載の表示デバイスは、ディスプレイ３５に対応し、処理実行手段が操作画面を切り替える動作は、制御部３９が実行するＳ２３０〜Ｓ２５５の処理により実現されている。
【００８９】
ところで、第二実施例では、第一実施例と同様、電界方式により信号出力装置１０からユーザの身体に電気信号を入力しているので、信号出力装置１０の装着された指で、導電性フィルム３１に触れなくても、ユーザが信号出力装置１０の装着された指を、導電性フィルム３１に近接させる程度で、人体と導電性フィルム３１間の静電結合により、ユーザの身体を伝播する電気信号が、導電性フィルム３１に伝播する。
【００９０】
即ち、受信判定する信号強度の閾値を調整することにより、受信判定部３７では、信号出力装置１０の装着された指が導電性フィルム３１に触れていない状態でも、信号出力装置１０からの電気信号を受信したと判定することが可能である。
【００９１】
従って、第一入力画面から第二入力画面への文字入力画面の切替は、信号出力装置装着指がタッチパネル３３に接触したか否かに拘らず、信号出力装置装着指が導電性フィルム３１（タッチパネル３３）に近づけられた時点で、行われるように、電子機器３０は構成されてもよい（第三実施例）。
【００９２】
［第三実施例］
続いて、第三実施例の情報処理システム１について、図７を用いて説明する。但し、第三実施例の情報処理システム１は、制御部３９が実行する文字入力受付処理の内容が、第二実施例と異なる程度である。従って、以下では、制御部３９が実行する文字入力受付処理の内容を選択的に説明する。尚、以下では、第二実施例と同一の処理を実行するステップに対して同一ステップ番号を付して、適宜説明を省略する。
【００９３】
図７は、第三実施例の制御部３９が実行する文字入力受付処理を表すフローチャートである。この文字入力受付処理を開始すると、制御部３９は、Ｓ２１０にて、第一入力画面（図６（ａ）参照）をディスプレイ３５に表示する。
【００９４】
その後、タッチパネル３３から操作信号が入力されているか否かを判断し（Ｓ２２０）、タッチパネル３３から操作信号が入力されていると判断すると（Ｓ２２０でＹｅｓ）、Ｓ２３０に移行し、第二実施例と同様の処理を実行する。
【００９５】
一方、タッチパネル３３から操作信号が入力されていないと判断すると（Ｓ２２０でＮｏ）、制御部３９は、受信有の旨の状態通知信号が受信判定部３７から入力されているか否かを判断する（Ｓ３１０）。
【００９６】
そして、受信有の旨の状態通知信号が入力されていると判断すると（Ｓ３１０でＹｅｓ）、ディスプレイ３５に表示中の文字入力画面を、第二入力画面（図６（ｂ）参照）に切り替えた後（Ｓ３２０）、Ｓ２２０に移行する。尚、ディスプレイ３５に既に第二入力画面が表示されている場合、Ｓ３２０では、実質的な処理を何ら実行せずに、Ｓ２２０に移行する。
【００９７】
これに対し、Ｓ３１０で、受信有の旨の状態通知信号が入力されておらず、受信無の旨の状態通知信号が入力されていると判断すると（Ｓ３１０でＮｏ）、制御部３９は、Ｓ３３０に移行し、受信判定部３７から入力される状態通知信号が「受信有」の旨の状態通知信号から「受信無」の旨の状態通信信号に切り替わってから一定時間が経過したか否かを判断する。
【００９８】
そして、一定時間が経過していないと判断すると（Ｓ３３０でＮｏ）、Ｓ３４０の処理を実行せずに、Ｓ２２０に移行し、一定時間が経過したと判断すると（Ｓ３３０でＹｅｓ）、Ｓ３４０にて、ディスプレイ３５に表示中の文字入力画面を、第一入力画面（図６（ａ）参照）に切り替えた後、Ｓ２２０に移行する。
【００９９】
即ち、第三実施例の電子機器３０は、タッチパネル３３から操作信号が入力されるまでの待機期間中に、信号出力装置装着指がタッチパネル３３に近づけられて、受信判定部３７から受信有の旨の状態通知信号が入力されると、その後、信号出力装置装着指がタッチパネル３３から遠ざけられて、受信判定部３７から一定時間、受信無の旨の状態通知信号が入力されるまでの期間、ディスプレイ３５に第二入力画面を表示する。
【０１００】
従って、本実施例の情報処理システム１によれば、第二実施例とは異なり、第二入力画面を通じて文字入力する場合に、ユーザは、タッチパネル３３に指をタッチさせなくても、タッチパネル３３に信号出力装置装着指を近づける程度で、当該第二入力画面を呼び出して、その文字入力を行うことができる。
【０１０１】
即ち、本実施例によれば、タッチパネル３３に信号出力装置装着指を接触させて画面を切り替える動作をしなくて済み、文字入力画面の切替操作が、第二実施例よりも一層簡単である。
【０１０２】
［第四実施例］
続いて、第四実施例について、図８及び図９を用いて説明する。尚、以下に説明する第四実施例の情報処理システム１は、電子機器３０が、絵描き用の電子機器として機能するものであるが、このシステムのハードウェア構成は、第一〜第三実施例と同様である。換言すれば、第四実施例の情報処理システム１は、制御部３９が実行する処理の内容が、第一〜第三実施例と異なる程度である。
【０１０３】
従って、以下では、第四実施例の説明として、制御部３９が実行する処理を選択的に説明する。まず、制御部３９が実行する処理の内容について、図８を用いて概略的に説明する。図８は、制御部３９がディスプレイ３５に表示するお絵描き画面の構成を表す説明図である。
【０１０４】
本実施例の制御部３９は、ディスプレイ３５に、図８に示す画面を表示し、タッチパネル３３を通じてユーザの操作を受け付けて、ユーザによりタッチパネル３３上に描写された絵を、ディスプレイ３５に表示する。
【０１０５】
具体的に、ディスプレイ３５に表示されるお絵描き画面は、描画領域と、コマンド割当領域と、からなり、制御部３９は、タッチパネル３３から入力される操作信号に基づき、描画領域に対応するタッチパネル３３の領域にユーザが指で描いた絵を、描画領域上に表示する。
【０１０６】
また、この際には、信号出力装置装着指にてタッチパネル３３がタッチされたか否かを判断することによって、信号出力装置装着指で描かれた絵については、信号出力装置装着指に割り当てられたペン色で、この絵を描画領域に表示し、信号出力装置装着指以外の指で描かれた絵については、信号出力装置装着指以外の指に割り当てられたペン色で、この絵を描画領域に表示する。
【０１０７】
そして、このペン色の割当は、コマンド割当領域で実現される。即ち、コマンド割当領域は、ユーザが、信号出力装置装着指及び信号出力装置装着指以外の指に、ペン色又は消しゴム機能を割り当てる操作を行うための領域として用いられる。
【０１０８】
続いて、制御部３９が実行する処理の詳細内容を、図９を用いて説明する。図９は、制御部３９が、お絵描き画面のディスプレイ３５への表示後に、繰返し実行する描画操作受付処理を表すフローチャートである。
【０１０９】
描画操作受付処理を開始すると、制御部３９は、まず、タッチパネル３３から操作信号が入力されたか否かを判断する（Ｓ４１０）。そして、タッチパネル３３から操作信号が入力されていないと判断すると（Ｓ４１０でＮｏ）、当該描画操作受付処理を一旦終了し、一定時間後に再度、Ｓ４１０の処理を実行することにより、タッチパネル３３から操作信号が入力されるまで待機する。
【０１１０】
一方、タッチパネル３３から操作信号が入力されたと判断すると（Ｓ４１０でＹｅｓ）、制御部３９は、Ｓ４２０に移行し、操作信号が表す位置座標が、描画領域に対応する位置座標であるか否かを判断することによって、ユーザのタッチ動作が描画領域に対して行われたものであるか否かを判断する。
【０１１１】
そして、ユーザのタッチ動作が描画領域に対して行われたものであると判断すると（Ｓ４２０でＹｅｓ）、Ｓ４８０に移行し、ユーザのタッチ動作が描画領域に対して行われたものではないと判断すると（Ｓ４２０でＮｏ）、Ｓ４３０に移行する。
【０１１２】
Ｓ４３０に移行すると、制御部３９は、ディスプレイ３５に表示されているお絵描き画面における入力オブジェクト（操作ボタン）の配置に従って、ユーザによりタッチされた入力オブジェクトを特定する。具体的に、お絵描き画面においては、そのコマンド割当領域に、複数の入力オブジェクトが配置されており、Ｓ４３０では、これらの入力オブジェクトの内、ユーザによりタッチされた入力オブジェクトを特定する。
【０１１３】
但し、タッチされた領域に入力オブジェクトが存在せず、入力オブジェクトの特定に失敗する場合もある。従って、この場合には（Ｓ４４０でＮｏ）、当該描画操作受付処理を一旦終了して、ユーザのタッチ動作を無効化する。
【０１１４】
一方、タッチされた入力オブジェクトの特定に成功した場合には（Ｓ４４０でＹｅｓ）、Ｓ４５０に移行し、今回のタッチ動作時に受信判定部３７から入力された状態通知信号に基づいて、タッチパネル３３に対するタッチ動作が、信号出力装置装着指によって行われたタッチ動作であるか否かを判断する（Ｓ４５０）。尚、Ｓ４５０での判断手法は、第一実施例におけるＳ１６０での判断手法と同様である。
【０１１５】
そして、タッチパネル３３に対するタッチ動作が、信号出力装置装着指によって行われたタッチ動作ではないと判断すると（Ｓ４５０でＮｏ）、制御部３９は、タッチされた入力オブジェクトに割り当てられたコマンドを、通常コマンドに設定すると共に（Ｓ４５１）、タッチされた入力オブジェクトに、第一エフェクト画像を重ね合わせるように表示して（Ｓ４５５）、当該描画操作受付処理を一旦終了する。
【０１１６】
本実施例では、このようしてユーザによりタッチされた入力オブジェクトにエフェクトをかけ、信号出力装置装着指以外の身体部位にて、タッチ動作を描画領域に行ったときに実行される処理（描画される絵のペン色等）を、コマンド割当領域にてユーザに示す。
【０１１７】
尚、Ｓ４５５では、既に他の入力オブジェクトに第一エフェクト画像が重ね合わせ表示されている場合、その第一エフェクト画像を他の入力オブジェクトから取り除いて、今回タッチされた入力オブジェクトに第一エフェクト画像を重ね合わせ表示する。このようにして、本実施例では、お絵描き画面にある複数の入力オブジェクトの内、一つのみが第一エフェクト画像と重ね合わせ表示されるようにする。尚、図８に示す例では、緑色のペン色に対応する入力オブジェクトに、第一エフェクト画像としての半透明の塗りつぶし画像が、表示されている。
【０１１８】
一方、Ｓ４５０で、タッチパネル３３に対するタッチ動作が、信号出力装置装着指によって行われたタッチ動作であると判断すると（Ｓ４５０でＹｅｓ）、制御部３９は、タッチされた入力オブジェクトに割り当てられたコマンドを、信号出力装置装着指コマンドに設定すると共に（Ｓ４６１）、タッチされた入力オブジェクトに、第一エフェクト画像とは異なるエフェクト画像である第二エフェクト画像を重ね合わせるように表示して（Ｓ４６５）、当該描画操作受付処理を一旦終了する。
【０１１９】
本実施例では、このようして第二エフェクト画像を表示することにより、信号出力装置装着指にて、タッチ動作を描画領域に行ったときに実行される処理（描画される絵のペン色等）を、コマンド割当領域にてユーザに示す。尚、図８に示す例では、赤色のペン色に対応する入力オブジェクトに、第二エフェクト画像としての枠画像が、表示されている。
【０１２０】
一方、Ｓ４８０に移行すると、制御部３９は、Ｓ４５０と同様に、タッチパネル３３に対するタッチ動作が、信号出力装置装着指によって行われたタッチ動作であるか否かを判断し、タッチパネル３３に対するタッチ動作が、信号出力装置装着指によって行われたタッチ動作ではないと判断すると（Ｓ４８０でＮｏ）、通常コマンドに設定されたコマンドに対応する描画処理を実行する（Ｓ４９０）。
【０１２１】
例えば、通常コマンドに、「ペン色（黒）」の入力オブジェクトに割り当てられたコマンドが設定されている場合には、ユーザがタッチ動作を止めるまで、タッチパネル３３から操作信号として入力される位置座標に対応するディスプレイ３５の領域に、黒色の線を描画する処理を行う。また、通常コマンドに、「消しゴム」の入力オブジェクトに割り当てられたコマンドが設定されている場合には、ユーザがタッチ動作を止めるまで、タッチパネル３３から操作信号として入力される位置座標に対応するディスプレイ３５の領域に描かれた線を消す処理を行う。また、通常コマンドに、「戻る」の入力オブジェクトに割り当てられたコマンドが設定されている場合には、前回行われた処理を無効化して、ユーザによる描画作業を一つ前の状態に戻す処理を行う。
【０１２２】
尚、通常コマンドとしては、予め初期値が定められており、Ｓ４５１の処理が一度も実行されていない状況下では、この初期値に従って描画処理を行うものとする。
この他、Ｓ４８０で、タッチパネル３３に対するタッチ動作が、信号出力装置装着指によって行われたタッチ動作であると判断すると（Ｓ４８０でＹｅｓ）、制御部３９は、信号出力装置装着指コマンドに設定されたコマンドに対応する描画処理を実行する（Ｓ４９５）。具体的な描画処理の内容は、Ｓ４９０で説明した通りである。尚、信号出力装置装着指コマンドに対しても、予め初期値が定められており、Ｓ４６１の処理が一度も実行されていない状況下では、この初期値に従って描画処理を行う。
【０１２３】
また、Ｓ４９０，Ｓ４９５の処理を終えると、制御部３９は、一旦描画操作受付処理を終了して、再び、Ｓ４１０から処理を開始することにより、逐次、ユーザの描画操作を受け付ける。
【０１２４】
以上、第四実施例の情報処理システム１について説明したが、本実施例によれば、従来装置とは異なりユーザの指に複数のペン色を割り当てることができ、ユーザは、どの指でタッチして絵を描くか決める程度で、簡単に、異なるペン色の線を描くことができる。従って、本実施例によれば、タッチパネル３３を通じて簡単にカラフルな絵を描くことができる。
【０１２５】
また、本実施例では、描画領域に対してタッチ動作が行われたときに実行すべき処理の内容と、受信判定部３７の判定結果との対応関係を、ユーザからの指示に従って変更できるようにした。即ち、信号出力装置装着指によるタッチ動作が行われた時に実行すべき処理の内容と、それ以外の身体部位によるタッチ動作が行われた時に実行すべき処理の内容とを、コマンド割当領域を通じたユーザからの指示に従って変更できるようにした。
【０１２６】
従って、本実施例によれば、ユーザは、扱いやすい指に、頻繁に用いるペン色を設定するなどの作業を行うことで、快適に、指を使って描画領域に絵を描くことができる。よって、本実施例によれば、タッチパネル３３を通じて絵を描く際の操作性が向上する。尚、「特許請求の範囲」記載の対応関係変更手段は、本実施例において、制御部３９が実行するＳ４３０〜Ｓ４６５の処理により実現されている。
【０１２７】
［第五実施例］
続いて、第五実施例について、図１０及び図１１を用いて説明する。尚、第五実施例の情報処理システム１は、電子機器３０が、複数の信号出力装置１０から出力される電気信号の受信・非受信を判定できるように構成されると共に、この結果に従って、描画操作受付処理を実行する構成にされたものであり、他の構成は、第四実施例と基本的に同様である。従って、以下では、第四実施例とは異なる構成を、選択的に説明する。
【０１２８】
図１０は、本実施例の信号出力装置１０−電子機器３０間における電気信号の送受信の態様を示した説明図である。図１０（ａ）に示すように、本実施例の情報処理システム１は、ユーザの異なる指に複数の信号出力装置１０が装着されて、当該ユーザにより電子機器３０が操作されることを前提に構成されたものである。
【０１２９】
この情報処理システム１において、複数の信号出力装置１０の夫々は、電子機器３０の受信判定部３７が、導電性フィルム３１を通じて入力される信号出力装置１０からの電気信号がどの信号出力装置１０から出力された信号であるか否かを判定できるように、自装置固有の周波数の電気信号（電波）を出力する構成にされている。
【０１３０】
そして、電子機器３０の受信判定部３７は、各信号出力装置１０に割り当てられた周波数毎に、当該周波数の電気信号の受信有無を判定し、各信号出力装置１０に割り当てられた周波数のいずれかに該当する電気信号を受信した場合には、受信した電気信号の送信元信号出力装置の装置ＩＤを格納した受信有の旨の状態通知信号を出力する構成にされている。
【０１３１】
尚、図１０（ｂ）は、状態通知信号の制御部３９への入力態様を示した説明図である。受信判定部３７は、予め周波数と装置ＩＤとの対応関係を記憶しており、この対応関係に従って、受信した電気信号の送信元信号出力装置の装置ＩＤを、状態通知信号に格納して、制御部３９に通知する。また、受信判定部３７は、信号出力装置１０に割り当てられた周波数の電気信号を受信できない場合、状態通知信号として、受信無の旨の状態通知信号を制御部３９に入力する。
【０１３２】
続いて、図１１を用いて、制御部３９が実行する描画操作受付処理について説明する。但し、本実施例の描画操作受付処理は、図９において一点鎖線及び点線で囲まれる部位の内容が、第四実施例の描画操作受付処理と異なる程度であるので、図１１には、この部位の処理内容のみを示す。
【０１３３】
ちなみに、図１１（ａ）は、Ｓ４５０への移行後、図９において点線で囲まれる部位に代わって、本実施例の制御部３９が実行する処理の内容を表すフローチャートであり、図１１（ｂ）は、Ｓ４８０への移行後、図９において一点鎖線で囲まれる部位に代わって、制御部３９が実行する処理の内容を表すフローチャートである。
【０１３４】
制御部３９は、コマンド割当領域へのタッチ動作が行われることで、Ｓ４５０に移行すると、まず、タッチパネル３３に対するタッチ動作が、信号出力装置装着指によって行われたタッチ動作であるか否かを判断する。即ち、今回のタッチ動作時に受信判定部３７から入力された状態通知信号が、受信有の旨の状態通知信号であるか否かを判断する。
【０１３５】
そして、タッチパネル３３に対するタッチ動作が、信号出力装置装着指によって行われたタッチ動作ではないと判断すると（Ｓ４５０でＮｏ）、Ｓ４５１に移行し、信号出力装置装着指によって行われたタッチ動作であると判断すると（Ｓ４５０でＹｅｓ）、Ｓ４７０に移行する。
【０１３６】
また、Ｓ４７０では、今回のタッチ動作時に受信判定部３７から入力された状態通知信号により通知された装置ＩＤが、ユーザに装着された第一及び第二の信号出力装置１０の内、いずれの装置ＩＤであるかを判断することにより、タッチ動作が行われた指が、第一の信号出力装置１０が装着された指であるのか、それとも第二の信号出力装置１０が装着された指であるのかを判断する。尚、ここでは、ユーザの指に装着される二つの信号出力装置１０を、第一及び第二の信号出力装置１０と表現する。
【０１３７】
そして、状態通知信号により通知された装置ＩＤが第一の信号出力装置１０の装置ＩＤであると判断すると（Ｓ４７０でＹｅｓ）、制御部３９は、Ｓ４７１に移行し、タッチされた入力オブジェクトに割り当てられたコマンドを、第一信号出力装置装着指コマンドに設定すると共に（Ｓ４７１）、タッチされた入力オブジェクトに、上記第二エフェクト画像（枠画像）を重ね合わせるように表示し（Ｓ４７３）、当該描画操作受付処理を一旦終了する。
【０１３８】
一方、状態通知信号により通知された装置ＩＤが第二の信号出力装置１０の装置ＩＤであると判断すると（Ｓ４７０でＮｏ）、制御部３９は、Ｓ４７５に移行し、タッチされた入力オブジェクトに割り当てられたコマンドを、第二信号出力装置装着指コマンドに設定すると共に（Ｓ４７５）、タッチされた入力オブジェクトに、第一及び第二エフェクト画像とは異なる第三エフェクト画像を重ね合わせるように表示して（Ｓ４７７）、当該描画操作受付処理を一旦終了する。尚、第三エフェクト画像としては、例えば、枠画像の点滅画像を、タッチされた入力オブジェクトに重ねて表示することができる。
【０１３９】
その他、制御部３９は、描画領域へのタッチ動作が行われることで、Ｓ４８０に移行すると、Ｓ４５０での処理と同様に、タッチパネル３３に対するタッチ動作が、信号出力装置装着指によって行われたタッチ動作であるか否かを判断し、タッチパネル３３に対するタッチ動作が、信号出力装置装着指によって行われたタッチ動作ではないと判断すると（Ｓ４８０でＮｏ）、Ｓ４９０に移行する。
【０１４０】
これに対し、タッチパネル３３に対するタッチ動作が、信号出力装置装着指によって行われたタッチ動作であると判断すると（Ｓ４８０でＹｅｓ）、制御部３９は、Ｓ４７０での処理と同様に、状態通知信号により通知された装置ＩＤが第一の信号出力装置１０の装置ＩＤであるか否かを判断することによって、タッチ動作が行われた指が、第一の信号出力装置１０が装着された指であるのか否かを判断する（Ｓ４９１）。
【０１４１】
そして、状態通知信号により通知された装置ＩＤが第一の信号出力装置１０の装置ＩＤであると判断すると（Ｓ４９１でＹｅｓ）、制御部３９は、第一信号出力装置装着指コマンドに設定されたコマンドに対応する描画処理を実行する（Ｓ４９３）。
【０１４２】
一方、状態通知信号により通知された装置ＩＤが第一の信号出力装置１０の装置ＩＤではないと判断すると（Ｓ４９１でＮｏ）、第二信号出力装置装着指コマンドに設定されたコマンドに対応する描画処理を実行する（Ｓ４９７）。その後、当該描画操作受付処理を一旦終了する。
【０１４３】
以上、第五実施例の情報処理システム１について説明したが、本実施例によれば、複数の信号出力装置１０を用いているので、第四実施例によりも、更にユーザの複数本の指に、異なるペン色等を割り当てることができ、タッチパネル３３を通じて絵を描く際の操作性が向上する。
【０１４４】
［第六実施例］
続いて、第六実施例について、図１２を用いて説明する。但し、第六実施例の情報処理システム１は、制御部３９が実行する処理の内容が、第五実施例と異なる程度であるので、以下では、制御部３９が実行する処理の内容を選択的に説明する。尚、第六実施例では、電子機器３０がお絵描き用の電子機器であるという前提を設定せず、広く一般的な電子機器３０に適用可能な処理の内容を説明する。
【０１４５】
図１２（ａ）は、本実施例の制御部３９が、ディスプレイ３５に表示する画面の構成例を表す説明図である。本実施例では、ユーザが複数の信号出力装置１０を装着していることを前提として、ディスプレイ３５に、三以上の機能（コマンド）を割り当てた入力オブジェクトを表示する。
【０１４６】
具体的に、本実施例では、ユーザが二つの信号出力装置１０を装着していることを前提として、各入力オブジェクトに４つの機能を割り当てて、これら各入力オブジェクトを表示する。そして、制御部３９は、タッチパネル３３を通じて入力オブジェクトがタッチされると、その時に受信判定部３７から入力された状態通知信号に基づき、タッチされた入力オブジェクトに割り当てられた４つの機能に対応する処理のいずれか一つを選択的に実行する（詳細後述）。
【０１４７】
尚、本実施例の情報処理システム１では、信号出力装置１０が装着された複数本の指での入力オブジェクトへの同時押しを許容するため、受信判定部３７は、複数の信号出力装置１０から同時に電気信号を受信している場合、状態通知信号に、受信した電気信号に対応する装置ＩＤの全てを格納し、これを制御部３９に入力する構成にされている。
【０１４８】
続いて、制御部３９が実行する処理の詳細を、図１２（ｂ）を用いて説明する。図１２（ｂ）は、制御部３９が繰返し実行する入力受付処理を表すフローチャートである。
この入力受付処理を開始すると、制御部３９は、タッチパネル３３から操作信号が入力されたか否かを判断する（Ｓ５１０）。そして、タッチパネル３３から操作信号が入力されていないと判断すると（Ｓ５１０でＮｏ）、当該入力受付処理を一旦終了する。
【０１４９】
一方、タッチパネル３３から操作信号が入力されたと判断すると（Ｓ５１０でＹｅｓ）、Ｓ５２０に移行し、ディスプレイ３５に表示されている入力オブジェクト（操作ボタン）の配置に従い、ユーザによりタッチされた入力オブジェクトを特定する。
【０１５０】
ここで、タッチされた領域に入力オブジェクトが存在せず、入力オブジェクトの特定に失敗した場合には（Ｓ５３０でＮｏ）、当該入力受付処理を一旦終了する。これに対し、タッチされた入力オブジェクトの特定に成功した場合には（Ｓ５３０でＹｅｓ）、Ｓ５４０に移行し、状態フラグｑ，ｒをオフに設定する（ｑ＝０，ｒ＝０）。
【０１５１】
また、Ｓ５４０での処理を終えると、制御部３９は、Ｓ５５０に移行し、今回のタッチ動作時に受信判定部３７から入力された状態通知信号によって、第一の信号出力装置１０の装置ＩＤが通知されたか否かを判断する。これによって、第一の信号出力装置１０が装着された指によるタッチ動作が行われたか否かを判断する。
【０１５２】
そして、第一の信号出力装置１０の装置ＩＤが通知されたと判断すると（Ｓ５５０でＹｅｓ）、状態フラグｑをオン（ｑ＝１）に設定する（Ｓ５５５）。その後、Ｓ５６０に移行する。一方、第一の信号出力装置１０の装置ＩＤが通知されていないと判断すると（Ｓ５５０でＮｏ）、Ｓ５５５の処理を実行せずに、Ｓ５６０に移行する。
【０１５３】
また、Ｓ５６０に移行すると、制御部３９は、今回のタッチ動作時に受信判定部３７から入力された状態通知信号により、第二の信号出力装置１０の装置ＩＤが通知されたか否かを判断する。これによって、第二の信号出力装置１０が装着された指によるタッチ動作が行われたか否かを判断する。尚、Ｓ５５０でＹｅｓと判断している場合には、ここで、第一及び第二の信号出力装置１０が装着された二つの指で同時に入力オブジェクトがタッチされたか否か（同時押しされたか否か）を判断することになる。
【０１５４】
そして、第二の信号出力装置１０の装置ＩＤが通知されたと判断すると（Ｓ５６０でＹｅｓ）、状態フラグｒをオン（ｒ＝１）に設定した後（Ｓ５６５）、Ｓ５７０に移行する。一方、第二の信号出力装置１０の装置ＩＤが通知されていないと判断すると（Ｓ５６０でＮｏ）、Ｓ５６５の処理を実行せずに、Ｓ５７０に移行する。
【０１５５】
また、Ｓ５７０に移行すると、制御部３９は、状態フラグｑ，ｒの値に基づいて、タッチされた入力オブジェクトに割り当てられた機能の一つに対応する処理を選択的に実行する。例えば、図１２（ａ）の右側最上段に示す入力オブジェクトがタッチされた場合には、この入力オブジェクトに割り当てられた機能Ａ、機能Ｂ、機能Ｃ、及び機能Ｄのいずれか一つを、状態フラグｑ，ｒの値に基づいて選択し、選択した機能に対応する処理を実行する。
【０１５６】
（ｑ，ｒ）＝（１，０）の時、機能Ａに対応する処理を実行し、（ｑ，ｒ）＝（０，１）の時、機能Ｂに対応する処理を実行し、（ｑ，ｒ）＝（１，１）の時、機能Ｃに対応する処理を実行し、（ｑ，ｒ）＝（０，０）の時、機能Ｄに対応する処理を実行するといった具合である。その後、当該入力受付処理を終了する。
【０１５７】
ちなみに、第一の信号出力装置１０が装着された指のみで入力オブジェクトがタッチされると、状態フラグは（ｑ，ｒ）＝（１，０）となり、第二の信号出力装置１０が装着された指のみで入力オブジェクトがタッチされると、状態フラグは、（ｑ，ｒ）＝（０，１）となり、第一及び第二信号出力装置１０が装着された二つの指で入力オブジェクトが同時押しされると、状態フラグは（ｑ，ｒ）＝（１，１）となり、第一及び第二の信号出力装置１０が装着された指以外の身体部位で入力オブジェクトがタッチされると、状態フラグは、（ｑ，ｒ）＝（０，０）となる。
【０１５８】
以上、第六実施例の情報処理システム１について説明したが、本実施例によれば、ユーザは、タッチする指の選択で、同じ入力オブジェクトに対するタッチ動作であっても、計４つの指令を電子機器３０に対して入力することができる。
【０１５９】
従って、本実施例によれば、設計者は、表示画面に表示する入力オブジェクトの数を減らして、シンプルな表示画面をディスプレイ３５に表示するように、電子機器３０を設計することができる。尚、請求項９記載の処理実行手段は、本実施例の制御部３９が実行する入力受付処理に対応する。
【０１６０】
［第七実施例］
続いて、第七実施例について、図１３を用いて説明する。但し、第七実施例の情報処理システム１は、制御部３９が実行する入力受付処理の内容が、第六実施例と異なる程度であるので、以下では、制御部３９が実行する処理の内容を選択的に説明する。
【０１６１】
図１３は、制御部３９が繰返し実行する入力受付処理を表すフローチャートである。本実施例の制御部３９は、図１３に示す処理を繰返し実行することにより、タッチパネル３３にタッチされた指の順序に従って、入力オブジェクトに割り当てられた複数の機能から、一つの機能に対応する処理を選択的に実行する。尚、本実施例では、一つの入力オブジェクトに対して多数の機能を割り当てることができるので、ディスプレイ３５には、単一の入力オブジェクトを表示するものとする。
【０１６２】
図１３に示す入力受付処理を開始すると、制御部３９は、タッチパネル３３から入力される操作信号に基づき、上記入力オブジェクトがタッチされたか否かを判断し、入力オブジェクトがタッチされていないと判断すると（Ｓ６１０でＮｏ）、当該入力受付処理を終了する。
【０１６３】
一方、上記入力オブジェクトがタッチされたと判断すると（Ｓ６１０でＹｅｓ）、連続タッチ回数を表す変数ｉをｉ＝０に初期化すると共に（Ｓ６２０）、Ｓ６３０に移行して、指の接触順を記録するための変数Ｚ＝（Ｚ［０］，Ｚ［１］，Ｚ［２］）をゼロに初期化する（Ｚ＝（０，０，０））。
【０１６４】
また、この処理を終えると、制御部３９は、Ｓ６４０に移行し、今回のタッチ動作時に受信判定部３７から入力された状態通知信号により、第一の信号出力装置１０の装置ＩＤが通知されたか否かを判断する。これによって、第一の信号出力装置１０が装着された指によるタッチ動作が行われたか否かを判断する。
【０１６５】
そして、第一の信号出力装置１０の装置ＩＤが通知されたと判断すると（Ｓ６４０でＹｅｓ）、変数Ｚ［ｉ］を値１に設定した後（Ｓ６４５）、Ｓ６６０に移行する。
一方、第一の信号出力装置１０の装置ＩＤが通知されていないと判断すると（Ｓ６４０でＮｏ）、制御部３９は、Ｓ６５０に移行し、今回のタッチ動作時に受信判定部３７から入力された状態通知信号により、第二の信号出力装置１０の装置ＩＤが通知されたか否かを判断する。これによって、第二の信号出力装置１０が装着された指によるタッチ動作が行われたか否かを判断する。
【０１６６】
そして、第二の信号出力装置１０の装置ＩＤが通知されたと判断すると（Ｓ６５０でＹｅｓ）、変数Ｚ［ｉ］を値２に設定した後（Ｓ６５５）、Ｓ６６０に移行する。この他、第二の信号出力装置１０の装置ＩＤが通知されていないと判断すると（Ｓ６５０でＮｏ）、制御部３９は、今回入力オブジェクトにタッチされた指が、信号出力装置装着指ではないと判断して、変数Ｚ［ｉ］を値３に設定した後（Ｓ６５９）、Ｓ６６０に移行する。
【０１６７】
また、Ｓ６６０に移行すると、制御部３９は、変数ｉを１加算した値に更新した後、更新後の変数ｉが値２を超えているか否かを判断する（Ｓ６６５）。即ち、連続タッチ回数ｉが値３以上であるか否かを判断する。そして、変数ｉ＞２であると判断すると（Ｓ６６５）、Ｓ６９０に移行する。
【０１６８】
一方、変数ｉが値２以下であると判断すると（Ｓ６６５でＮｏ）、制御部３９は、Ｓ６７０に移行し、再度、入力オブジェクトに対するタッチ動作が行われるか、タッチ動作が行われないまま一定時間が経過するまで待機する（Ｓ６７０，Ｓ６７５）。
【０１６９】
そして、入力オブジェクトに対するタッチ動作が行われると（Ｓ６７０でＹｅｓ）、当該タッチ動作について、Ｓ６４０以降の処理を実行する。一方、一定時間が経過すると（Ｓ６７５でＹｅｓ）、Ｓ６９０に移行する。
【０１７０】
Ｓ６９０に移行すると、制御部３９は、現時点での変数Ｚの値に基づいて、当該Ｚの値に対して予め定められた機能に対応する処理を実行する。尚、Ｚの値と、機能との対応関係は、予め制御部３９が記憶するテーブル（図１３右図参照）等により定義されている。
【０１７１】
このようにして、Ｓ６９０では、タッチパネル３３にタッチされた指の順序に従って、入力オブジェクトに設定された複数の機能から、一つの機能に対応する処理を選択的に実行する。その後、当該入力受付処理を終了する。
【０１７２】
尚、Ｓ６９０への移行時点で変数Ｚが採りうる値は、合計３９通りある。即ち、入力オブジェクトが１回しかタッチされないケースでは、入力オブジェクトがどの指でタッチされたかにより、合計３通りのパターンがある。具体的に言えば、第一の信号出力装置１０が装着された指でタッチされるパターン、第二の信号出力装置１０が装着された指でタッチされるパターン、信号出力装置１０が装着されていない指でタッチされるパターンの３通りがある。
【０１７３】
また、ユーザが入力オブジェクトを２回しかタッチしないケースでは、１回のタッチ動作で３通りのパターンがあることから、２回のタッチ動作について、合計９通りのパターンがある。そして、ユーザが入力オブジェクトを３回タッチするケースでは、合計２７通りのパターンがある。
【０１７４】
従って、本実施例では、合計３９個の機能に対応する処理の実行指令を、一つの入力オブジェクトを通じてユーザから受けることができ、入力オブジェクトを複数個ディスプレイ３５に表示しなくても、ユーザに多数の機能を使用させることができる。尚、請求項８記載の処理実行手段は、本実施例の制御部３９が実行する入力受付処理に対応する。
【０１７５】
［第八実施例］
続いて、第八実施例について、図１４を用いて説明する。図１４（ａ）は、第八実施例の情報処理システム３の構成を表す説明図である。
【０１７６】
図１４（ａ）に示すように、本実施例の情報処理システム３は、腕輪状の信号出力装置５０と、携帯型の電子機器（以下、携帯機器と表現する）７０と、を備えた構成にされている。この信号出力装置５０は、単に、第一実施例の信号出力装置１０が腕輪サイズとされた程度のものであり、第一実施例の信号出力装置１０が備える送信部１１及びアンテナ部１５と同様の機能を果たす送信部５１及びアンテナ部５５を備え、アンテナ部５５から、当該信号出力装置５０が装着された腕に、第一実施例と同様の電気信号を出力する。
【０１７７】
尚、アンテナ部５５が備える反射器は、腕の根元側に配置されており、信号出力装置５０からユーザの身体に出力される電気信号は、信号出力装置５０の装着部位から、その腕の指先側に伝播する。
【０１７８】
例えば、信号出力装置５０が図１４（ａ）に示すように左腕に装着されている場合、信号出力装置５０から出力される電気信号は、左腕の掌側に伝播するのみで、胴体を回り込んで、右腕の掌に伝播することはない。
【０１７９】
一方、携帯機器７０は、ユーザに把持されると掌が接触する位置に、信号出力装置５０から出力される電気信号の入力を受けるための導電体７１を備える。また、導電体７１には、第一実施例と同様の機能を果たす受信判定部７７が接続されている。
【０１８０】
この他、携帯機器７０には、メカニカルな複数の操作キーを備える操作部７３、各種情報表示用の表示部７５、及び、表示部７５を制御する制御部７９が設けられ、制御部７９は、操作部７３から入力される操作信号に従って、ユーザからの指令に対応した処理を実行し、その処理結果を、表示部７５に表示する。
【０１８１】
尚、操作部７３から制御部７９へは、ユーザにより押下操作されたキーの識別情報である物理キーコードが、操作信号として入力される。
また、制御部７９は、受信判定部７７から入力される状態通知信号に従って、操作部７３から入力される物理キーコードを、論理キーコードに変換する機能を有する。尚、ここで表現する論理キーコードとは、仮想的に存在するキーの識別情報のことである。
【０１８２】
本実施例では、操作部７３において物理的に存在する各操作キーに対して、二つの論理キーコードが割り当てられており、制御部７９は、操作部７３によって操作キーが押下操作されると、その操作キーの物理キーコードではなく、当該操作キーに割り当てられた二つの論理キーコードのいずれか一方を、アプリケーションソフトウェアに入力する。この動作によって、本実施例では、一つの物理的なキーに対して、アプリケーションソフトウェアからは、あたかも二つの操作キーが存在するようにしている。
【０１８３】
具体的に、制御部７９は、図１４（ｂ）に示す変換処理を実行することにより、物理キーコードを論理キーコードに変換する。図１４（ｂ）は、制御部７９が繰返し実行する変換処理を表すフローチャートである。
【０１８４】
変換処理を開始すると、制御部７９は、操作部７３が備える操作キーのいずれか一つが押下操作されることにより、操作部７３から操作信号が入力されるまで待機する（Ｓ７１０）。
【０１８５】
そして、操作信号が入力されると、当該操作信号の入力時に受信判定部７７から入力された状態通知信号に基づき、信号出力装置５０の装着された腕の掌で携帯機器７０が把持された状態で、操作キーが押下操作されたか否かを判断する（Ｓ７２０）。具体的には、上記状態通知信号が、受信有の旨の状態通知信号である場合には、信号出力装置５０の装着された腕の掌で携帯機器７０が把持された状態で、操作キーが押下操作されたと判断し、受信無の旨の状態通知信号である場合には、これについて否定判断する。
【０１８６】
そして、信号出力装置５０の装着された腕の掌で携帯機器７０が把持された状態で、操作キーが押下操作されたと判断すると（Ｓ７２０でＹｅｓ）、制御部７９は、内蔵する不揮発性メモリに予め登録された変換テーブルに従って、上記操作信号として操作部７３から入力された物理キーコードを、当該物理キーコードに対応する操作キーに割り当てられた二つの論理キーコードの内、予め定められた第一の論理キーコードに変換する（Ｓ７３０）。
【０１８７】
尚、制御部７９には、内蔵する不揮発性メモリに、物理キーコードと論理キーコードとの対応関係を表す変換テーブルが登録されている。具体的に、変換テーブルにおいては、物理キーコード毎に、第一の論理キーコードと第二の論理キーコードとが対応付けられて記述されている。
【０１８８】
一方、Ｓ７２０で否定判断すると、制御部７９は、上記変換テーブルに従って、操作部７３から入力された物理キーコードを、当該物理キーコードに対応する操作キーに割り当てられた二つの論理キーコードの内、予め定められた第二の論理キーコードに変換する（Ｓ７４０）。
【０１８９】
そして、変換後の論理キーコードを、アプリケーションソフトウェアに入力して（Ｓ７５０）、当該変換処理を終了する。
以上、第八実施例の情報処理システム３について説明したが、本実施例によれば、ユーザは、同一操作キーの押下操作であっても、携帯機器７０の持つ手を変える程度で、携帯機器７０に対して異なる指令を入力することができる。換言すると、本実施例によれば、携帯機器７０を多機能化するに当たって、操作キーの数を増やさなくても済み、ユーザに対し、扱いやすいユーザインタフェースを提供することができて、携帯機器７０の操作性が向上する。尚、請求項３記載の入力デバイス及び処理実行手段は、夫々、本実施例の操作部７３及び制御部７９に対応する。
【０１９０】
［その他の実施例］
以上、本発明の実施例について説明したが、本発明は、上記実施例に限定されるものではなく種々の態様を採ることができる。
【０１９１】
例えば、第一実施例では、タッチパネル３３を入力デバイスとして、その表面に導電性フィルム３１を設けることにより、入力デバイスを操作するユーザの指が、信号出力装置装着指であるか否かを判断し、その判断結果に従って、実行する処理を切り替えるようにしたが、このような技術的思想は、メカニカルな操作系にも適用することができる。
【０１９２】
具体的に、回転式のボリューム用ツマミを有するオーディオ機器に、第一実施例と同様の技術的思想を適用する場合を考える。この場合には、ツマミ部分を、信号出力装置１０からの出力信号を受信可能な導電部材で構成するか、ツマミ部分の表面に、導電性フィルムを貼付して、この導電性フィルムから信号出力装置１０が出力する電気信号を受信できるようにすることで、本発明の思想を適用することができる。
【０１９３】
このようにオーディオ機器を構成すれば、例えば、ボリューム用ツマミを、ラジオ受信時の周波数調整用ツマミとしても利用することができて、操作系を簡潔にし、オーディオ機器に必要な部品点数を減らすことができる。
【０１９４】
また、第一〜第八実施例においては、電界方式により信号出力装置からユーザの身体に電気信号を出力するようにしたが、電流方式により信号出力装置からユーザの身体に電気信号を出力してもよい。即ち、情報処理システムは、図１５に示す構成にされてもよい。図１５は、変形例の情報処理システム５の構成を表すブロック図である。
【０１９５】
変形例の情報処理システム５が備える信号出力装置８０は、一対の電極８１ａ，８１ｂと、これら電極８１ａ，８１ｂ間に電気信号を印加する印加部８５と、を備え、電極８１ａ，８１ｂ間に電気信号を印加することにより、ユーザの身体に電気信号を入力する。
【０１９６】
一方、情報処理システム５が備える電子機器９０は、第一実施例の電子機器３０において、受信判定部３７を電流計測部９１及び接触判定部９５に置き換えてなるものである。
電流計測部９１は、導電性フィルム３１に接続されており、導電性フィルム３１を通じて入力される信号の電流を計測し、その電流計測値を、接触判定部９５に入力する。一方、接触判定部９５は、電流計測部９１から入力される電流計測値に基づき、信号出力装置装着指が導電性フィルム３１に接触しているか否かを判断し、その判断結果を、状態通知信号として、制御部３９に入力する。
【０１９７】
図１６（ａ）は、信号出力装置装着指が、導電性フィルム３１から離間されている場合の信号伝達経路を表す説明図であり、図１６（ｂ）は、信号出力装置装着指が、導電性フィルム３１に接触している場合の信号伝達経路を表す説明図である。
【０１９８】
図１６に示すように、信号出力装置装着指が、導電性フィルム３１から離間されている場合には、その他の身体部位が導電性フィルム３１に接触しても基本的に、導電性フィルム３１に信号出力装置８０から出力される電気信号が伝達することはなく、結果として、電流計測部９１にて計測される電流値は略ゼロとなる。
【０１９９】
これに対し、信号出力装置装着指が、導電性フィルム３１に接触した場合には、信号出力装置８０から出力される電気信号が、接地された電流計測部９１側に流れることになり、結果として、電流計測部９１では、大きな電流が計測される。
【０２００】
従って、接触判定部９５では、電流計測部９１から入力される電流計測値が、予め定められた閾値よりも大きい場合、信号出力装置装着指が導電性フィルム３１に接触していると判断し、電流計測部９１から入力される電流計測値が閾値以下である場合、信号出力装置装着指が導電性フィルム３１に接触していないと判断する。
【０２０１】
ちなみに、本実施例においては、接触判定部９５から、信号出力装置装着指が導電性フィルム３１に接触していることを表す状態通知信号、及び、接触していないことを表す状態通知信号のいずれか一方が、制御部３９に入力されることとなるが、これらの状態通知信号は、夫々、上述の実施例における受信有の旨の状態通知信号及び受信無の旨の状態通知信号に対応する。そして、制御部３９は、この接触判定部９５から入力される状態通知信号に基づき、上述の実施例と同様の処理を実行する。
【０２０２】
以上には、信号出力装置装着指の接触／離間の検知方法について二通り説明したが、本発明は、他の手法で検知を実現するように構成されてもよい。
また、第一〜第八実施例のように、電界方式を採用する場合には、導電性フィルム３１と指とが直接接触しなくても、静電結合により信号出力装置装着指の接近を検知できるので、導電性フィルム３１は、タッチパネル３３とディスプレイ３５との間等に設けられてもよい。
【符号の説明】
【０２０３】
１，３，５…情報処理システム、１０，５０，８０…信号出力装置、１１，５１…送信部、１３…輻射器、１４…反射器、１５，５５…アンテナ部、３０，９０…電子機器、３１…導電性フィルム、３３…タッチパネル、３５…ディスプレイ、３７，７７…受信判定部、３９，７９…制御部、７０…携帯機器、７１…導電体、７３…操作部、７５…表示部、８１ａ，８１ｂ…電極、８５…印加部、９１…電流計測部、９５…接触判定部
【図３】
2010204725.tif 000003
【図４】
2010204725.tif 000004
【図５】
2010204725.tif 000005
【図６】
2010204725.tif 000006
【図７】
2010204725.tif 000007
【図９】
2010204725.tif 000008
【図１１】
2010204725.tif 000009
【図１２】
2010204725.tif 000010
【図１３】
2010204725.tif 000011
【図１４】
2010204725.tif 000012
【図１５】
2010204725.tif 000013
【図１】
2010204725.tif 000014
【図２】
2010204725.tif 000015
【図８】
2010204725.tif 000016
【図１０】
2010204725.tif 000017
【図１６】
2010204725.tif 000018